(57)【要約】【課題】状態を視覚的に把握しつつ局所空調機の個別設定等を操作ミスなく確実に行うことができるようにする。【解決手段】監視画面（全体画面）２０には、各局所空調機の物理的配置を矩形で示すと共にその現在のステータスを示す色を矩形内に表示する。ユーザが、任意の矩形をタッチ指定すると、指定された矩形の局所空調機の詳細な状態データを示す画面２１が表示される。更にそこから個別設定画面２２に移行して、指定された矩形の局所空調機の設定を行うことができる。あるいは、全ての局所空調機に同一の設定を行う場合には、監視画面２０から一括設定画面２３に移行して一括設定を行うことができる。【選択図】図４
2012002445.tif 000002
【特許請求の範囲】
【請求項１】
電算機室内の任意の場所にそれぞれ設置される複数台の局所空調機と、該複数台の局所空調機を監視・制御する制御装置を有する電算機室空調システムであって、
前記制御装置は、
前記各局所空調機の物理的配置を示す各特定図形を全体画面上に表示する全体画面制御手段と、
該全体画面上で任意の前記特定図形を指定する操作があった場合、該指定された特定図形に対応する前記局所空調機を判別して、該判別した局所空調機の設定を任意に行わせる為の個別設定画面を表示する個別設定支援手段と、
を有することを特徴とする電算機室空調システム。
【請求項２】
前記全体画面上で一括設定コマンドを指定する操作があった場合、前記複数台の局所空調機全てに同一の設定を行わせる為の一括設定画面を表示する一括設定支援手段を更に有することを特徴とする請求項１記載の電算機室空調システム。
【請求項３】
前記個別設定支援手段は、更に、前記指定された特定図形に対応する前記局所空調機の状態データを表示する個別状態表示画面も表示することを特徴とする請求項１または２記載の電算機室空調システム。
【請求項４】
前記全体画面制御手段は、前記各特定図形毎にその特定図形に対応する前記局所空調機の現在のステータスを示す色を表示する色分け表示手段を有することを特徴とする請求項１〜３の何れかに記載の電算機室空調システム。
【請求項５】
前記ステータスには設定温度と測定温度を比較することで判定される適温／冷却不足／冷却過剰の何れかの温度状況が含まれ、前記色分け表示手段は該適温／冷却不足／冷却過剰の何れかの温度状況を示す色を表示することを特徴とする請求項４記載の電算機室空調システム。
【請求項６】
前記色分け表示手段による前記色の表示には、前記ステータスを示す色の表示以外に、前記局所空調機が設置されていないことを示す色の表示も含まれることを特徴とする請求項４または５記載の電算機室空調システム。
【請求項７】
電算機室内の任意の場所にそれぞれ設置される複数台の局所空調機と、該複数台の局所空調機を監視・制御する制御装置を有する電算機室空調システムであって、
前記制御装置は、
前記各局所空調機の物理的配置を示す各特定図形を全体画面上に表示すると共に、各特定図形毎にその特定図形に対応する前記局所空調機の現在のステータスを示す色を表示する全体画面制御手段を有し、
前記現在のステータスには設定温度と測定温度を比較することで判定される適温／冷却不足／冷却過剰の何れかの温度状況が含まれ、前記全体画面制御手段は該適温／冷却不足／冷却過剰の何れかの温度状況を示す色を表示することを特徴とする電算機室空調システム。
【請求項８】
電算機室内の任意の場所にそれぞれ設置される複数台の局所空調機と、該複数台の局所空調機を監視・制御する制御装置を有する電算機室空調システムにおける該制御装置であって、
前記各局所空調機の物理的配置を示す各特定図形を全体画面上に表示する全体画面制御手段と、
該全体画面上で任意の前記特定図形を指定する操作があった場合、該指定された特定図形に対応する前記局所空調機を判別して、該判別した局所空調機の設定を任意に行わせる為の個別設定画面を表示する個別設定支援手段と、
を有することを特徴とする電算機室空調システムの制御装置。
【請求項９】
電算機室内の任意の場所にそれぞれ設置される複数台の局所空調機と、該複数台の局所空調機を監視・制御する制御装置を有する電算機室空調システムにおける該制御装置であって、
前記各局所空調機の物理的配置を示す各特定図形を全体画面上に表示すると共に、各特定図形毎にその特定図形に対応する前記局所空調機の現在のステータスを示す色を表示する全体画面制御手段を有し、
前記現在のステータスには設定温度と測定温度を比較することで判定される適温／冷却不足／冷却過剰の何れかの温度状況が含まれ、前記全体画面制御手段は該適温／冷却不足／冷却過剰の何れかの温度状況を示す色を表示することを特徴とする電算機室空調システムの制御装置。
【発明の詳細な説明】
【技術分野】
【０００１】
本発明は、複数の局所空調機を監視等する為の装置に関する。
【背景技術】
【０００２】
サーバ装置等の電算機は、稼動中は発熱するものであり（主にそのＣＰＵ等が発熱する）、多数の電算機を収容している電算機室は、平均発熱密度が高い空間となると共に、電算機の設置位置や台数、稼動状態等に応じて、局所的に発熱密度が高いエリアや低いエリアが生じる場合がある。
【０００３】
この様な電算機室の空調システムの一例として、複数の局所冷却装置を電算機室内の各所に配置して成る局所空調システムが知られている。この様な局所空調システムは、例えば、局所的に発生する高温問題を解決する為に、冷熱源ユニットと冷媒配管で接続した複数の局所冷却装置（局所空調機）を、ラック上に分散設置して、局所的に発生する熱を除去している。
【０００４】
図７に、従来の一般的な局所空調システム構成を示す。
図７において、電算機室内（ＩＤＣ；インターネット・データセンタ等）には、サーバ装置等の電算機や各種電子機器等が収納されたラックが、複数配置されている。複数のラックは、通常、整然と列を成して配置されてラック列を形成している。複数のラック列が配置されている場合が多く、図では各々が８個のラックから成るラック列が２列存在しているが、この例に限らない。また、尚、図７に示すように、ラックの上方に局所空調機が設置される場合が多いが、この例に限らない。
【０００５】
局所空調システムは、基本的に、上記ラック列の上方に設けられた複数台の局所冷却装置（局所空調機）１と、これら複数台の局所冷却装置１に共通の冷熱源ユニット２と、冷熱源ユニット２から複数の局所冷却装置１に冷媒を供給する為の冷媒往路配管３と、冷熱源ユニット２が各局所冷却装置１から冷媒を回収する為の冷媒復路配管４、コントローラ５等から構成される。尚、図上、配管３，４近辺に示す矢印は、冷媒の流れる方向を示すものである。
【０００６】
尚、上記のように符号‘１’に対して局所冷却装置（局所空調機）１等と記したが、これ以降の説明では“局所空調機１”に統一するものとする。
冷熱源ユニット２は、1つのラック列の局所空調機群に対応して設けられる。よって、仮にラック列が３列あれば冷熱源ユニット２は３台設けられる。図示の例ではラック列は２列であるので、図示の通り、冷熱源ユニット２は各ラック列の局所空調機群毎に１台ずつ、計２台設けられている。図示のように、それぞれが８個のラックから成る２つのラック列をＡ列、Ｂ列と記すものとし、Ａ列に対応する冷熱源ユニット２Ａと、Ｂ列に対応する冷熱源ユニット２Ｂとが設けられている。
【０００７】
各冷熱源ユニット２は、凝縮器２ａや冷媒圧送ユニット２ｂ（ポンプ等）、インバータ２ｃ等から成る。凝縮器２ａには、上記冷媒復路配管４を介して各局所空調機１から回収した冷媒が流入すると共に、不図示の外部装置から冷水が供給されている。凝縮器２ａにおいて冷媒と冷水との熱交換が行われた後、この冷媒は冷媒圧送ユニット２ｂによって冷媒往路配管３に圧送されて複数の局所空調機１に供給される。
【０００８】
尚、図示の例では冷媒圧送ユニット２ｂは、２台のポンプを有するが、ポンプは１台のみでもよい。また、尚、冷熱源ユニット２には更に圧縮機や冷媒貯留槽等があってもよいが、ここでは特に説明しない。
【０００９】
上記冷熱源ユニット２は、例えば上記電算機室に隣接する機械室内に設置される。また、上記冷媒往路配管３と冷媒復路配管４は、例えば天井裏等を介して配設される。尚、勿論のこと、冷熱源ユニット２及び各局所空調機１は、予め冷媒往路配管３及び冷媒復路配管４に接続されているものである。
【００１０】
コントローラ５は、局所空調システム全体を管理・制御する為の制御装置であり、ＣＰＵ／ＭＰＵ等の演算プロセッサ、メモリ、入出力インタフェース等から成る。また、特に図示／説明しないが、各局所空調機１はそれぞれ小型のコントローラ（局所コントローラという）を有している。
【００１１】
コントローラ５は、全ての局所空調機１（ここではＡ列、Ｂ列合わせて１６台）、及び各列毎に対応した計２台の冷熱源ユニット２Ａ、２Ｂを、通信線６や不図示の通信線を介して制御する。冷熱源ユニット２に関しては、通信線６を介して主にインバータ２ｃを制御する。各局所空調機１に関しては、不図示の通信線を介して上記不図示の局所コントローラと通信を行って、各局所コントローラから状態データ（現在の温度、風量、正常／異常、稼動／停止等）を取得したり、任意の指令（設定温度、運転／停止指令等）を送信する。各局所コントローラは、この指令に応じた制御を実行する。
【００１２】
ここで、コントローラ５は、不図示のディスプレイを備えており、ディスプレイ上に任意の各種情報を表示する。例えば、上記のように不図示の通信線を介して各局所コントローラから収集した状態データ等を一覧表示する。
【００１３】
ここで、各局所コントローラには、予め所定の識別用ＩＤ（局番というものとする）が割り当てられており、上記通信の際にはこの局番を用いる。例えば、局所コントローラは、コントローラ５からの所定の要求に応じて、自己の局所空調機１の状態データ（計測温度、風量、正常／異常、稼動／停止等）に自己の局番を付加して返信する。
【００１４】
これより、コントローラ５は、例えば局番の番号順通りに、各局所空調機１の状態データをその局番と共に表示する。あるいは、局番を表示することなく、局番の番号順（局番＝１，２，３、・・・）通りに各状態データを一覧表示する。
【００１５】
また、コントローラ５においてユーザが局所空調機１の設定作業を行う場合、各局所空調機１の局番が一覧表示され、ユーザはこの一覧リストの中から任意の局番を選択・指定することで設定対象の局所空調機１を指定する。コントローラ５は、指定された局所空調機１に対する任意の設定（設定温度の変更など）を行わせる設定画面を表示する。
【００１６】
また、特許文献１の発明は、空調機の補完運転や省エネ運転などをコントローラで制御する空調機監視システム・監視方法であり、温度状態の色分け画面表示の記載がある。
【先行技術文献】
【特許文献】
【００１７】
【特許文献１】特開２００６−６４２５４号公報
【発明の概要】
【発明が解決しようとする課題】
【００１８】
ここで、上述したように、各ラックに収納されるサーバ装置等の電算機は、稼動中は発熱するものであり（主にそのＣＰＵ等が発熱する）、発熱量はサーバ装置等の処理負荷によって変動する。サーバの負荷はユーザに依存する。
【００１９】
この為、上記局所空調システムの場合、任意のときに任意のラック内のサーバ装置等の処理負荷が高くなり、現在温度が設定温度より高くなった（又は高くなりつつある）場合、管理者は、このラックに対応する局所空調機１の設定温度を下げたり、風量を上げるなどの対応を行う必要がある（個別設定）。
【００２０】
サーバ装置等の電算機は、充分に適切な冷却が行われないと故障する可能性が高くなり、サーバの故障はデータ損失という大きな問題に繋がる可能性が高いため、局所空調機を間違えないで設定変更する必要がある。
【００２１】
しかしながら、上記従来技術のようにコントローラ５が各局所空調機１の状態データを局番順等に従って表示する場合、実際の物理的配置が分からないという問題点があった。例えば、全体画面で設定変更対象の局所空調機を決めて、別の画面の局所空調機リスト一覧から設定変更すべき局所空調機を選択する場合は、局所空調機の選択間違いが発生し易い。
【００２２】
また、上記従来技術では上記のように各局所空調機１の局番と状態データを一覧表示する為、どの位置にある局所空調機１の状態データであるのかが、視覚的に分かり易いものとは言い難かった。
【００２３】
また、上記のように特許文献１には温度状態の色分け表示が開示されており、例えば「赤＝高温、・・・、青＝低温」等の表示が行われるものであり、数値を読むことなく色を見るだけで大体の温度を把握できるようになる。
【００２４】
しかしながら、上記局所空調システムに限らず空調システムの場合、管理者等は温度自体も気になるが、温度が設定温度通りになっているかも気になるものである。特許文献１では、温度自体は容易に把握できても、温度状況（把握した温度が設定温度通りか否か（適正な温度か否か）、適正ではない場合には更に冷却不足か冷却過剰か等）は、分からない。
【００２５】
この為、管理者等は、色分け表示によって把握した現在温度と設定温度とに基づいて、上記温度状況を判断する必要がある（尚、設定温度は例えば別途表示される）。特に、上記局所空調システムの場合には、複数の局所空調機１の設定温度がそれぞれ異なる場合も有り得るので、色表示によって現在温度を把握して、これと設定温度に基づいて上記温度状況を判断する必要があり、手間が掛かることになる。特に、局所空調機１が多数設置されている場合には、非常に手間が掛かることになる。
【００２６】
また、上記局所空調システムに関して、複数の局所空調機１に関して上記温度状況だけでなく他の状態（正常／異常（故障）、運転／停止、設置の有無等）や設置位置を容易に把握できることが要望されている。
【００２７】
また、上記図７に示す例では全てのラック上に局所空調機１が設置されている。この様な場合、例えば局番を１，２，３，４、・・・等のシリアルな番号とした場合には、例えば局番＝３であったならばラック列の端から数えて３番目のラックの位置であるものと推測することも可能である。しかしながら、この様な例に限るものではなく、局所空調機１が設置されないラックがあるケースもある。この様な場合には、局番から位置を推測することもできなくなる。
【００２８】
本発明の課題は、それぞれが任意の位置に設置される複数の局所空調機とこれら複数の局所空調機を管理・制御する制御装置を有する局所空調システムにおいて、局所空調機の個別設定をミスなく確実に行うことができ、また各局所空調機の設置位置と温度状況、各種ステータスを視覚的に把握し易くなる局所空調システム、その局所空調機管理装置等を提供することである。
【課題を解決するための手段】
【００２９】
本発明の電算機室空調システムは、電算機室内の任意の場所にそれぞれ設置される複数台の局所空調機と、該複数台の局所空調機を監視・制御する制御装置を有する電算機室空調システムであって、前記制御装置は、前記各局所空調機の物理的配置を示す各特定図形を全体画面上に表示する全体画面制御手段と、該全体画面上で任意の前記特定図形を指定する操作があった場合、該指定された特定図形に対応する前記局所空調機を判別して、該判別した局所空調機の設定を任意に行わせる為の個別設定画面を表示する個別設定支援手段とを有する。
【００３０】
ユーザは、各局所空調機の物理的配置を示す全体画面上で、設定変更する局所空調機を視覚的・直接的に指定して、設定を行うことができ、ミスすることなく設定対象の局所空調機に対して設定を行うことができる。
【００３１】
また、例えば、上記各局所空調機の物理的配置を示す全体画面上で任意の局所空調機を視覚的・直接的に指定して、その状態データ等を表示させることもできる。
また、例えば、前記全体画面制御手段は、前記各特定図形毎にその特定図形に対応する前記局所空調機の現在のステータスを示す色を表示する色分け表示手段を有する。
【００３２】
前記ステータスには設定温度と測定温度を比較することで判定される適温／冷却不足／冷却過剰の何れかの温度状況が含まれ、前記色分け表示手段は該適温／冷却不足／冷却過剰の何れかの温度状況を示す色を表示する。
【００３３】
上記各局所空調機の物理的配置を示す全体画面上で、各局所空調機の測定温度が設定温度通りになっているか、あるいは冷却不足／冷却過剰となっているのか等を、色分け表示によって視覚的に分かり易く表示することができ、ユーザは現在の空調状態を把握し易くなる。
【発明の効果】
【００３４】
本発明の局所空調システム、その局所空調機管理装置等によれば、それぞれが任意の位置に設置される複数の局所空調機とこれら複数の局所空調機を管理・制御する制御装置を有する局所空調システムにおいて、局所空調機の個別設定をミスなく確実に行うことができ、また各局所空調機の設置位置と温度状況、各種ステータスが視覚的に把握し易くなる。また、メンテ時では異常の局所空調機の位置をすぐに特定でき、迅速な対応が可能となる。また、個別設定に限らず、選択的に一括設定を行うことも出来る。
【図面の簡単な説明】
【００３５】
【図１】（ａ）は本例の局所空調システム全体の構成図、（ｂ）は監視画面例である。
【図２】設定テーブルの一例である。
【図３】ステータス表示処理のフローチャート図である。
【図４】設定動作に係る各種画面例である。
【図５】設定動作に係る処理フローチャート図である。
【図６】コントローラの構成・機能ブロック図である。
【図７】従来の一般的な局所空調システム構成を示す図である。
【発明を実施するための形態】
【００３６】
以下、図面を参照して本発明の実施の形態について説明する。
図１（ａ）は、本例の局所空調システム全体の概略構成図である。
また、図１（ｂ）には本例の局所空調機管理装置における監視画面の一例を示す。
【００３７】
一例としては、図１（ａ）の局所空調システムのコントローラ１０は、局所空調機管理装置としての機能も有するが、他の機能も有する。他の機能については特に説明しないが、例えば上記従来のコントローラ５と略同様の機能であってよい。本説明では、主に局所空調機管理装置としての機能について説明する。
【００３８】
本例では、コントローラ１０の不図示のディスプレイに、図１（ｂ）の監視画面（全体画面）２０が表示される。
図１（ａ）に示す局所空調システムの全体構成自体は、従来と略同様であり、略同一の構成要素には同一符号を付し、その説明は省略または簡略化する。従来と異なる点は、基本的に、従来では上記コントローラ５であったのに対して、本例ではコントローラ１０になっている点である。コントローラ１０は、コントローラ５には無い機能を有しており、それによって従来では得られなかった効果が得られる。
【００３９】
尚、以下の説明では、それぞれが１２個のラックより成る２列のラック列Ａ、ラック列Ｂを例にし、各ラック列Ａ，Ｂ毎に８台ずつ合計１６台の局所空調機１が設置されており、各局所空調機１には上記シリアルな局番が付与されており、局番＝１の局所空調機１は局所空調機（１）、局番＝２の局所空調機１は局所空調機（２）、・・・、局番＝１６の局所空調機１は局所空調機（１６）等と記すものとする。
【００４０】
本例の局所空調システムも、基本的には上記従来システムと略同様に、各ラック列の上方に設けられた複数台の局所空調機１と、これら複数台の局所空調機１に共通の冷熱源ユニット２と、冷熱源ユニット２から複数の局所空調機１に冷媒を供給する為の冷媒往路配管３と、冷熱源ユニット２が各局所空調機１から冷媒を回収する為の冷媒復路配管４とから構成され、更に従来のコントローラ５の代わりにコントローラ１０が設けられている。冷熱源ユニット２は、従来と同様、凝縮器２ａや冷媒圧送ユニット２ｂ（ポンプ等）、インバータ２ｃ等から成る。
【００４１】
尚、コントローラ１０は、上記コントローラ５と略同様の機能（冷熱源ユニット２や各局所空調機１を制御・管理する機能）も備えるが、監視画面表示・設定に関してはコントローラ５とは異なる表示・設定機能を備える。この表示・設定機能は、各局所空調機１の物理的配置やステータスを視覚的に分かり易く表示し、ミスのないオペレーションで局所空調機の個別設定や一括設定を行えるようにしたものである。詳しくは後述する。
【００４２】
尚、上記“ミス”とは特に、誤って設定対象の局所空調機１とは違う局所空調機１に対して設定を行ってしまうことである。あるいは、任意の局所空調機１のステータス情報を表示した際に、この局所空調機１の位置を勘違いしてしまうこと等である。上記“ステータス情報”は、従来技術で述べたように、温度、風量、正常／異常、稼動／停止等の情報である。
【００４３】
コントローラ１０は、局所空調システム全体を制御する制御装置であり、ＣＰＵ／ＭＰＵ等の演算プロセッサ、メモリ、入出力インタフェース等から成る。また、従来技術等で説明したように、各局所空調機１はそれぞれ不図示の局所コントローラを有している。局所コントローラについては、既に従来技術等で説明済みであるので、ここでは説明しない。
【００４４】
コントローラ１０は、全ての局所空調機１（ここではＡ列、Ｂ列合わせて１６台）、及び各列毎に対応した計２台の冷熱源ユニット２Ａ、２Ｂを、通信線６や通信線７を介して制御する。冷熱源ユニット２に関しては、通信線６を介して主にインバータ２ｃを制御する。各局所空調機１に関しては、通信線７を介して上記不図示の局所コントローラと通信を行って、各局所コントローラから所定の情報（上記ステータス情報等）を取得したり、任意の指令（設定温度等）を送信する。各局所コントローラは、この指令に応じた制御を実行する。
【００４５】
コントローラ１０は、上記の通り局所空調システム全体を制御する制御装置であり、それによって特定エリアの温度制御を行うものである。この特定エリアとは、例えば図１（ｂ）の監視画面（全体画面）２０に示すエリアであり、すなわちＡ列、Ｂ列の２つのラック列と、このラック列の間の空間（図示のコールドゾーン）を含むエリアであり、“アイル”と呼ばれる場合もある。
【００４６】
ここで、コントローラ１０は、不図示のタッチパネル付きディスプレイを備えており、ディスプレイ上に例えば上記図１（ｂ）の監視画面（全体画面）２０を表示すると共に、タッチパネルによる入力を受け付ける。尚、タッチパネル付きディスプレイではなく、通常のディスプレイとマウス等の入力装置等としてもよいが、本例ではタッチパネルを用いるものとする。
【００４７】
上記タッチパネルによる入力は、タッチパネル上（ディスプレイ上）の任意の位置がタッチされる操作であり、このタッチ位置座標が検出される。
詳しくは後述するが、監視画面（全体画面）２０では、各局所空調機１の物理的配置を示す表示が行われると共に、任意の局所空調機１を上記タッチ操作等によって指定することができ、指定された局所空調機１の設定を行うことができる設定画面が表示される。また、指定された局所空調機１の状態を示す詳細な情報等を示す画面が表示される。
【００４８】
また、監視画面（全体画面）２０上では、上記各局所空調機１の物理的配置を示す表示において、更に、各局所空調機１の現在のステータスを示す色を表示する。ステータスには、例えば、設定温度と測定温度を比較することで判定される現在の温度状況（適温／冷却不足／冷却過剰の何れか）が含まれ、これら何れかの温度状況を示す色が表示される。後述する一例では、青色、水色、肌色の何れか一色が表示されることになる。
【００４９】
但し、上記ステータスは、上記温度状況に限らず、後述するように異常、停止中等も含まれ、これらに応じた色（後述する例では赤、白）も表示される。
また、上記ステータスは、例えば、上記のように通信線７を介して各局所コントローラから収集した状態データ等に基づいて判定される。この状態データは、例えば局所空調機１の稼動／停止状態、測定温度、風量、正常／異常等である。特に上記現在の温度状況（適温／冷却不足／冷却過剰の何れか）は、測定温度と設定温度（所定のマージンを含む設定温度範囲）とに基づいて判定される。詳しくは後述する。
【００５０】
ここで、本例では上記の通り局所空調機１は各列毎に８台ずつ計１６台あるものとし、図１（ｂ）に示すように、Ａ列に関しては局所空調機（１）〜局所空調機（８）の８台があり、Ｂ列に関しては局所空調機（９）〜局所空調機（１６）の８台があるものとする。
【００５１】
但し、各列毎に８台ずつある構成自体は上記図５の構成と同じであるが、図５では各列毎に８つのラックがあった。つまり、全てのラックに対応して局所空調機１が設けられた構成となっていた。これに対して、本例では、各列毎に１２個のラックがあるものとする。よって、各列毎に、１２個のラックのうちの任意の８個のラック上に局所空調機１が設けられていることになり、逆に言えば、任意の４個のラック上には局所空調機１が存在しないことになる。
【００５２】
この様に、各列毎の局所空調機１群は、所謂“ハヌケ（歯抜け）”で設置される場合も有り得る。これは、例えば下記の場合に対応する構成である。
・サーバの追加設置に応じて、局所空調機が増設される場合；
・全てのラックに局所空調機が必要でない場合（例えば２つのラック毎に１台の局所空調機１を設置すれば、充分に冷却可能な場合等）；
これに対応して、本例では例えば上記現在のステータスを示す色の表示には、“局所空調機１の設置無し”を示す色の表示（後述する一例では灰色）も含まれている。詳しくは後述する。
【００５３】
例えば上記のような一例の場合、コントローラ１０の不図示のディスプレイには、例えば図１（ｂ）に示すような監視画面２０が表示される。
監視画面２０上には、各局所空調機１の物理的配置を矩形で示している。但し、本例においては、この物理的配置とは、現在実際に配置されている位置だけでなく、局所空調機１を配置し得る位置も含まれているものである。つまり、本例では、各ラックの物理的配置を示しているものと見做すこともできる。
【００５４】
本例では、各列毎に１２個のラックがあり、１２個全てに対して局所空調機１を配置し得るが、そのうちの８個のラック上に局所空調機１が配置され、残りの４個のラック上には局所空調機１は配置されていない。勿論、これは一例であるし、またこの一例において後に、局所空調機１が未配置であった４個のラックの任意の１つ以上（場合によっては４個全て）のラック上に、新たな局所空調機１を追加設置する可能性もある。
【００５５】
上記のように、監視画面２０には各局所空調機１の物理的配置を矩形で示しているが、これは、局所空調機１が現在配置されている位置に限らず、配置される可能性がある位置も含まれており、上記の例では、実質的に各ラックの物理的な配置位置を示すものと同義となる。
【００５６】
上記のことから図１（ｂ）に示すように監視画面２０には、各局所空調機１の物理的配置を示すものとして、上記Ａ列の１２個のラックの配置位置をそれぞれ矩形で示すと共に、上記Ｂ列の１２個のラックの配置位置をそれぞれ矩形で示している。本例では、当然図示のように、各列毎に、１２個の矩形が整列して１つの列を成すように表示されることになる。
【００５７】
また、図示の表示例における“Ａ”は上記Ａ列、“Ｂ”は上記Ｂ列を意味している。
また、図示の表示例におけるａ１，ａ２，・・・ａ１２は、Ａ列の各矩形の物理的配置番号を示している。同様に、図示の表示例におけるｂ１，ｂ２，・・・ｂ１２は、Ｂ列の各矩形の物理的配置番号を示している。この物理的配置番号は、監視画面２０上に描画される各矩形の作成時等に各矩形に任意に割り当てられる識別番号である。
【００５８】
尚、特に図示しないが、コントローラ１０はその不図示のメモリに予め監視画面２０上の各矩形の表示情報（不図示）を記憶している。この表示情報（不図示）は、各矩形毎に、その矩形の表示座標（ＸＹ座標、Ｘ方向の長さ、Ｙ方向の長さ等）をその矩形の物理的配置番号に対応付けて記憶しているものである。
【００５９】
尚、実際の構成においては、上記各矩形で示す位置に各局所空調機１が設けられ（但し、上記の通り、全ての矩形に設けられるわけではない）、これら局所空調機１群によってラック列Ａとラック列Ｂの間の空間（通常、通路として用いられる空間）である図示のコールドゾーンを、冷却することになる。コールドゾーンの冷気は、ラック列Ａとラック列Ｂの各ラック内に流入して、ラック内に搭載されているサーバ装置等の電算機や各種電子機器等を冷却することになる。
【００６０】
コールドゾーンの空間は、区分けされているわけではないので、複数の局所空調機１から供給される冷気は、ある程度は混ざり合うが、コールドゾーンの空間の温度が均一化されるほどではなく、コールドゾーンの空間内には、比較的温度が高い部分と低い部分とが存在することになる。各局所空調機１は、コールドゾーン空間内における自装置近辺の温度（例えば、局所空調機１の吹出口付近の温度であり、これを吹出温度というものとする）を測定しており、コントローラ１０は各局所空調機１の測定温度等を定期的に収集している。
【００６１】
これによって、コントローラ１０は上記監視画面２０上で上述した（そして詳しくは後述する）各局所空調機１の現在の温度状況を示す色分け表示（コールドゾーン空間内の各所の温度状況（適温／冷却不足／冷却過剰）が分かり易い表示）等を行うことになる。
【００６２】
また、特に図示しないが、コントローラ１０はその不図示のメモリに各局所空調機１の管理情報（不図示）を記憶している。この局所空調機の管理情報は、従来のコントローラ５でも記憶管理していた情報であり、その内容も従来と略同様であってよいので、ここでは特に図示することなく簡単に説明しておく。
【００６３】
まず、各局所空調機１は、上述した不図示の局所コントローラを備えている。この局所コントローラは、不図示のＣＰＵ／ＭＰＵ等の演算プロセッサ、メモリ、通信インタフェース、センサユニット等を備えている。各局所空調機には予め一意の識別番号（局番と呼ぶ）が割り当てられており、上記局所コントローラのメモリには予め自機の局番が記憶されており、局所コントローラは任意のデータを任意の相手に送信する際に、自機の局番も含めて送信する。
【００６４】
ここで、上記センサユニットは、例えば上述した“コールドゾーン空間内における自装置近辺の温度を測定”する為の温度センサ等であり、局所コントローラはこの計測温度（吹出温度）を収集・記憶している。また、局所コントローラは、自己診断機能も備えており、自機（局所空調機１）の状態が正常であるか異常（故障）であるかを判定して、判定結果を記憶している。また、局所コントローラは、例えばコントローラ１０からの指令（運転／停止指令、設定温度、設定風量などの設定値）に応じて、自機（局所空調機１）を運転状態／停止状態にし、運転状態においては上記指令に応じて冷媒流入量や風量等を制御する（この制御方法は、既存技術であり、特に説明しない）。
【００６５】
ここで、コントローラ１０は、例えば定期的に各局所空調機１の状態データを収集する。これは、通信線７を介して各局所空調機１に対して所定のコマンド（データ収集コマンドというものとする）を送信するものである。
【００６６】
各局所空調機１の上記局所コントローラは、このデータ収集コマンドを受信したら、自己の状態データ（上記正常／異常（故障）、上記運転状態／停止状態、上記計測温度（吹出温度）等）を、自己の局番と共にコントローラ１０に返信する。
【００６７】
コントローラ１０は、自己の不図示のメモリに、上記局所空調機の管理情報（不図示）を記憶している。この管理情報は、特に図示しないが、各局所空調機毎に、その局番に対応付けて、上記状態データ（上記正常／異常（故障）、上記運転状態／停止状態、上記計測温度（吹出温度）等）が記憶され、更に上記設定値データ（設定温度、設定風量など）が記憶されている。
【００６８】
コントローラ１０は、新たに収集した上記状態データによって、管理情報（その上記状態データ）を更新する。勿論、その際、局番を用いて、更新すべき管理情報を判別することになる。また、コントローラ１０は、新たな指令を送信した際に、その上記設定値（設定温度、設定風量など）によって、管理情報（その上記設定値データ）を更新する。
【００６９】
再び、図１（ｂ）に示す監視画面２０について説明する。
監視画面２０では、既に述べたように各局所空調機１の物理的配置が容易に分かるような表示が行われるが、更に、アイルの（特に各局所空調機１の）現在のステータスが容易に分かるような表示が行われる。これは、各矩形毎に、その矩形内にアイルの（特にその矩形に対応する位置の局所空調機１の）現在のステータスを示す色が表示される。但し、図１（ｂ）では色の代わりに模様で示している。これら各模様が意味する色、及びこの色が示す上記“現在のステータス”を、図１（ｂ）の下側に示す。
【００７０】
図１（ｂ）の下側に示す通り、本例では、各色が示す上記“現在のステータス”は以下に列挙する通りであるが、勿論、この例に限らない。
青色：  現在温度＝設定温度−１℃未満    
水色：  現在温度＝設定温度±１℃範囲
肌色：  現在温度＝設定温度＋１℃超過
赤色：  異常
白色：  停止中
灰色：  局所空調機なし
尚、上記各ステータスと各色とを対応付けた不図示のテーブル（色分けテーブルというものとする）が、予めコントローラ１０の不図示のメモリに格納されている。
【００７１】
上記の通り、まず、灰色は「局所空調機なし」を意味する。上述したように本例ではＡ列、Ｂ列の各列毎に１２個のラックに対して８台の局所空調機を設置している為、各列毎に４個のラック上には局所空調機が設置されていないことになる。従って、監視画面２０において各列毎に１２個の矩形のうち４個の矩形については、灰色で表示されることになる。図示の例では、例えばＡ列を例にすると、物理的配置番号＝‘ａ２’、‘ａ５’、‘ａ８’、‘ａ１１’の４つの矩形が、灰色表示されている。尚、「局所空調機なし」の物理的配置番号は、後述する図２に示す設定テーブル３０を参照すれば分かる。
【００７２】
上記灰色以外の他の色が対応する“現在のステータス”は、上記局所空調機の管理情報（不図示）を参照すれば認識／判定できる。すなわち、この管理情報は上記の通り、各局所空調機の局番に対応付けて、各局所空調機の最新の状態データ（正常／異常（故障）、運転状態／停止状態、計測温度（吹出温度）等）や設定値データ（設定温度、設定風量など）が記憶されている。そして、上記色分けテーブルを参照すれば、認識／判定した“現在のステータス”の対応する色を、判定することができる。
【００７３】
この判定処理については特にフローチャート図等は示さないが、まず、上記管理情報を参照することで、正常／異常（故障）が“異常（故障）”であった場合には“赤色”と判定し、正常／異常（故障）が“正常”であり且つ運転状態／停止状態が“停止状態”の場合には白色と判定する。また、正常／異常（故障）が“正常”であり且つ運転状態／停止状態が“運転状態”の場合には、計測温度（吹出温度）と設定温度と所定のマージン（本例では±１℃）に基づいて、現在の温度状況を示す色（上記青色、水色、肌色の何れかの色）を判定する。
【００７４】
上記の通り、水色の意味は「現在温度＝設定温度±１℃範囲」であり、これは現在の吹出温度がほぼ設定温度通りとなっている（適温である）ことを意味している。これに対して、青色と肌色は、現在の吹出温度が適温ではないことを意味しており、青色は冷却過剰、肌色は冷却不足を意味している。
【００７５】
すなわち、青色の意味は「現在温度＝設定温度−１℃未満」であり、現在の吹出温度が、適正な温度範囲（設定温度±１℃範囲）よりも低い温度となっており、従って冷却過剰状態を意味するものである。肌色の意味は「現在温度＝設定温度＋１℃超過」であり、現在の吹出温度が、適正な温度範囲（設定温度±１℃範囲）よりも高い温度となっており、従って冷却不足状態を意味するものである。
【００７６】
この様に、上記既存の管理情報（不図示）を参照することで、各局所空調機１をその局番によって識別しつつその現在のステータスを示す色を判定することはできるが、物理的配置番号は分からない。この為、予め図２に示す設定テーブル３０を登録しておく。設定テーブル３０は、コントローラ１０の不図示のメモリに記憶されている。
【００７７】
図２に示す設定テーブル３０は、物理的配置番号と局番とを対応付けて登録したテーブルである。例えば、物理的配置番号＝‘ａ１’と局番＝‘１’とが対応付けられている。これより、これを参照することで、局番＝‘１’の局所空調機１の現在のステータスを示す色を、図１（ｂ）に示す物理的配置番号＝‘ａ１’の矩形内に表示することができ、本例ではこの色は‘水色’となっている。尚、各物理的配置番号に対応する各矩形の表示座標は、上述した各矩形の表示情報（不図示）を参照すれば分かる。
【００７８】
また、尚、図２において物理的配置番号に対応する局番が登録されていないもの（−で示す）は、「局所空調機なし」を意味する。「局所空調機なし」となっている物理的配置番号の矩形は、本例では‘灰色’で表示する。
【００７９】
図３に、コントローラ１０における上記ステータス表示処理のフローチャート図を示す。
図３において、コントローラ１０は、上記のように定期的に各局所空調機１の状態データを収集する（ステップＳ１）。
【００８０】
そして、各局所空調機１毎に、収集した状態データに基づいてステータス判定を行う（ステップＳ２）。これは、上記局所空調機の管理情報を参照してステータス判定を行うようにしてもよい。
【００８１】
判定するステータスの具体例は、正常／異常、運転／停止、温度状況（適温／冷却不足／冷却過剰）などである。これは、まず、正常／異常の判定を行い、異常と判定したならば判定結果を保持して本判定処理を終了する。正常と判定した場合には、続いて、運転／停止の判定を行い、停止と判定したならば判定結果を保持して本判定処理を終了する。運転と判定したならば、更に、温度状況（適温／冷却不足／冷却過剰）の判定を行う。これは、上記の通り、測定温度を設置温度と比較することで、適温、冷却不足、冷却過剰の何れかに判定する。
【００８２】
続いて、各局所空調機１毎に、上述した不図示の色分けテーブル（上記各ステータスと各色とを対応付けたテーブル）を参照して、上記ステップＳ２で判定したステータスに対応する色を判別する（ステップＳ３）。
【００８３】
また、各局所空調機１毎に、その局番を用いて上記図２の設定テーブル３０を検索して、局番に対応する物理的配置番号を判別する。更に、上述した表示情報を参照して、当該判別した物理的配置番号に対応する矩形の表示座標（ＸＹ座標等）を取得する（ステップＳ４）。
【００８４】
そして、各局所空調機１毎に、ステップＳ３で判別した色を、ステップＳ４で得た表示座標（ＸＹ座標）内に（矩形に）表示する（ステップＳ５）。
また、特に図示しないが、ステップＳ５の処理の後に更に、設定テーブル３０を参照して、局所空調機１の設置無しの物理的配置番号（対応する局番が登録されていない物理的配置番号）を抽出して、上述した表示情報を参照して、当該設置無しの物理的配置番号に対応する矩形の表示座標（ＸＹ座標）を取得し、この矩形内に“灰色”を表示する処理を行うようにしてよい。
【００８５】
上述したことから、例えば図１（ｂ）に示す監視画面２０を監視者等が見ることで、例えば、局所空調機１の物理的配置（設置の有無も含む）、各局所空調機１の現在のステータス（正常／異常、運転／停止、温度状況（適温／冷却不足／冷却過剰）等）を容易に把握できるようになる。物理的配置で、局所空調機の有無、異常や現在の温度状況等が視覚的に分かり易く把握できるようになる。これは、特に、局番などの機器構成と実際のラックへの配置順番が異なる場合や、局所空調機が設置されていないラックがある場合等に極めて効果的なものとなる。また、メンテ時では異常の機器の配置をすぐに特定でき、迅速な対応が可能となる。
【００８６】
また、上記ステップＳ２のステータス判定で説明したことから、異常がある場合は（または運転停止の場合は）、当該異常（または運転停止）状態を優先表示することになる（温度状況の表示は優先しない）。
【００８７】
次に、以下、図４、図５を参照して、監視画面２０における設定動作について説明する。
図４に示す監視画面２０は、図１（ｂ）に示したものと略同様であり、局所空調機１の設置対象位置である各ラックの物理的配置を示す各矩形が表示されると共に、各矩形毎に、局所空調機１の設置の有無や、局所空調機１のステータス（正常／異常、運転／停止、温度状況（適温／冷却不足／冷却過剰）等）を示す“色”が表示されている。
【００８８】
但し、ここで説明する設定動作は、この様な色分け表示は必ずしも必要としない。一方、各ラック(各局所空調機１)の物理的配置を示す各矩形の表示は、必ず必要となる。尚、以下の説明における（１）〜（６）は、図４の図上に示す（１）〜（６）に対応するものである。
【００８９】
そして、コントローラ１０は、ユーザによる入力装置として例えばタッチパネルを供えている。尚、入力装置としては、キーボード、マウス等であってもよいが、ここではタッチパネルを例にして説明する。尚、勿論、タッチパネルは、上記監視画面２０が表示されるディスプレイ上に重ね合わせるようにして配置されるものである。
【００９０】
ユーザが、上記監視画面２０上の多数の矩形のうちの所望の矩形の表示位置を指先等でタッチすると、タッチパネルとその制御装置（何れも不図示）によってこのタッチ位置座標が検出される。上記のように、各矩形の位置座標（ＸＹ座標）は登録されているので、どの矩形が指定されたのかを判別できる。
【００９１】
この様にして、ユーザ（管理者等）によって任意の矩形が指定されると（１）、コントローラ１０は、ディスプレイ上の任意の位置に（例えば監視画面２０の横に）、図示のポップアップ画面２１（個別状態表示画面２１というものとする）を表示する(２)。この個別状態表示画面２１には、上記ユーザによって指定された矩形に対応する局所空調機１に関する各種情報（異常の有無、運転／停止、風量設定値、温度設定値、吹出温度等）が表示される。これは、例えば上記局所空調機の管理情報（不図示）に記憶されている情報が、表示されるものである。
【００９２】
尚、ユーザ（管理者等）によって“灰色”の矩形が指定された場合には、上記の通りこのラックには局所空調機１は設置されていないので、上記個別状態表示画面２１の表示は行われない。
【００９３】
ユーザは、上記個別状態表示画面２１を参照することで、局所空調機１の現在の状態の詳細や設定内容を知ることができる。そして、設定内容を変更したい場合には、個別状態表示画面２１内の「設定へ」ボタン２１ａを操作する。この操作に応じて、コントローラ１０は、図示の個別設定画面２２を表示する（３）。
【００９４】
この個別設定画面２２は、上記ユーザが指定した矩形に対応する局所空調機１の設定画面である。図示の例では、風量設定値と吹出温度設定値とを任意に設定可能なものとなっている。ユーザが、これら風量設定値、吹出温度設定値を設定後、図示の「実行」ボタン２２ａを操作すると、コントローラ１０は、これらの設定値を通信線７を介して設定対象の局所空調機１へ送信する（４）。更に、これらの設定値によって上記管理情報を更新するようにしてもよい。
【００９５】
尚、必ずしも上記個別状態表示画面２１と個別設定画面２２のような状態表示用と設定用の画面に分ける必要はなく、１つの画面上で状態表示と設定の両方が行われるようにしてもよい。例えば、上記個別設定画面２２において局所空調機１の状態データを更に表示するような画面を、上記ユーザ操作（任意の矩形の指定）に応じてポップアップ表示するようにしてもよい。
【００９６】
また、アイル全体で設定を一括設定（全局所空調機同一設定）したい場合がある。
全ての局所空調機１を同一の設定としたい場合、上記個別設定で各局所空調機１毎に設定すると、時間が掛かるという問題が生じる。更に、ユーザが任意の矩形の指定を忘れることで、設定抜けとなる局所空調機１が発生する可能性がある等の、オペレーションミスが発生しやすくなる等の問題がある。
【００９７】
これより、本例では、図４に示すように、監視画面（全体画面）２０上に「一括設定へ」ボタン２０ａを設けている。ユーザが、この「一括設定へ」ボタン２０ａを操作することで、図示の一括設定画面２３が表示される（５）。図示の例では風量設定値、吹出温度設定値を設定可能となっているが、この例に限らない。
【００９８】
ユーザ（管理者等）は、この一括設定画面２３上で任意の設定値を入力する。そして、図示の「実行」ボタン２３ａを操作する。これによって、コントローラ１０は、これら設定値を通信線７を介して全ての局所空調機１に対して送信する（例えば、ブロードキャストで送信する）（６）。これより、各局所空調機１は、自己が保持する設定値を、新たに指令された設定値へと更新する。これは、図示の例では、風量設定値、吹出温度設定値を更新することになるが、この例に限らない。
【００９９】
尚、当然のことながら、上記各種ボタン（２０ａ等）の表示座標は予め記憶されており、コントローラ１０は、ユーザによって操作された位置の座標を検出すると、上記表示座標と比較することで、操作されたボタンを判別する。
【０１００】
図５は、上記監視画面上での設定動作に係るコントローラ１０の処理フローチャート図である。
図５において、上記監視画面２０上でユーザが任意の操作を行うと、コントローラ１０は、タッチパネル上で任意の操作（タッチ）があったことを検知して操作された位置の座標を検出すると（ステップＳ１１，ＹＥＳ）、この操作位置座標を、上記予め登録されている各矩形、各ボタンの表示座標と比較することで、ユーザ指示内容を判別する（ステップＳ１２）。例えば、ボタン操作であった場合には、操作されたボタンに割り当てられているコマンドを判別する。任意の矩形の指定であった場合には、指定された矩形に対応する物理的配置番号を判別する。物理的配置番号の判別方法は既に述べた通りである。
【０１０１】
そして、ステップＳ１２でコマンドを判別した場合には（ステップＳ１３，ＮＯ）ステップＳ１４の処理を実行し、ステップＳ１２で物理的配置番号を判別した場合には（ステップＳ１３，ＹＥＳ）ステップＳ１５，Ｓ１６の処理を実行する。
【０１０２】
ここで、図４の監視画面２０上にはボタンは１つのみであるので（「一括設定へ」ボタン２０ａ）、ステップＳ１２でコマンドを判別した場合には（ステップＳ１３，ＮＯ）、これは「一括設定へ」ボタン２０ａによるコマンドとなる。よって、ステップＳ１４では、上記一括設定画面２３を表示する処理を行う。一括設定画面２３を表示後の動作については、既に説明してあるので、ここでは説明しない。
【０１０３】
一方、ステップＳ１２で物理的配置番号を判別した場合には（ステップＳ１３，ＹＥＳ）、まず、上記設定テーブル３０を参照することで、この物理的配置番号に対応する局番を判別する（ステップＳ１５）。そして、ステップＳ１５で判別した局番の局所空調機１に関する各種情報（状態データや設定値；異常の有無、運転／停止、風量設定値、温度設定値、吹出温度等）を、上記ポップアップ画面２１に表示する（ステップＳ１６）。これは、例えば上記局所空調機の管理情報（不図示）から、上記判別した局番の情報を取得して表示するものである。
【０１０４】
上述したように、各ラックに収納されるサーバ装置等の電算機は、稼動中は発熱するものであり（主にそのＣＰＵ等が発熱する）、発熱量はサーバ装置等の処理負荷によって変動する。サーバの負荷はユーザに依存する。
【０１０５】
この為、上記局所空調システムの場合、任意のときに任意のラック内のサーバ装置等の処理負荷が高くなり、現在温度が設定温度より高くなった（又は高くなりつつある）場合、管理者は、このラックに対応する局所空調機１の設定温度を下げたり、風量を上げるなどの対応を行う必要がある（個別設定）。
【０１０６】
サーバの故障はデータ損失という大きな問題となるため、局所空調機を間違えないで設定変更する必要がある。
しかしながら、上記従来技術のようにコントローラ５が各局所空調機１の状態データを局番順（機器構成）等で表示する場合、実際の物理的配置が分からないという問題点があった。例えば、全体画面で設定変更対象の局所空調機を決めて、別の画面の局所空調機リスト一覧から設定変更すべき局所空調機を選択する場合は、局所空調機の選択間違いが発生し易い。
【０１０７】
また、上記従来技術では上記のように各局所空調機１の状態データをその局番に対応付けて一覧表示する為、どの位置にある局所空調機１の状態データであるのかが、視覚的に分かり易いものとは言い難かった。
【０１０８】
これに対して、本例のコントローラ１０（監視装置）によれば、局所空調機１を物理的配置へ割り付ける設定テーブル３０を用意することで、各局所空調機１の物理的配置を示す画面表示を行う。これにより、物理的配置から選択した局所空調機１に対して個別設定を操作ミスなく確実に出来るようになる。また、一括設定を行うこともできる。
【０１０９】
また、上記のように、設定動作に関しては色分け表示は必ずしも必要としないが、色分け表示も行うようにすることで、設定変更すべき局所空調機１が視覚的に分かり易くなると共に、そのままその局所空調機１（矩形）を指定することで、操作ミスなく確実に、設定変更すべき局所空調機１を指定して設定変更を行うことができる。
【０１１０】
例えば、上記“肌色”で表示された矩形を指定することで、冷却不足となっている局所空調機１をダイレクトに確実に指定して、例えばその風量設定値を大きくする設定変更を行うことで、冷却不足を解消することが期待できる。
【０１１１】
また、例えば、図４に示す例では、上記“肌色”で表示された矩形は、物理的配置番号が‘ａ６’、‘ａ７’、‘ｂ６’の３つであり、これは図示のアイルにおける真ん中近辺のエリアが冷却不足となっていることを意味する。これは、このエリアにおけるラック内のサーバ装置等の処理負荷が高くなり、発熱量が増大していることが原因である可能性が高い。
【０１１２】
よって、このエリアに近い例えば物理的配置番号＝‘ｂ７’の局所空調機１は、現在は“水色”（適正）であるが、近い将来、“肌色”（冷却不足）となることが予想される。よって、物理的配置番号＝‘ｂ７’の局所空調機１に関しても、例えばその風量設定値を大きくする設定変更を行うこと等も考えられる。尚、その際も、物理的配置番号＝‘ｂ７’の局所空調機１を、ダイレクトに確実に指定して設定変更を行うことができる。
【０１１３】
この様に、物理的配置と共にステータスを色分け表示することで、ユーザはアイルの状態を把握し易くなり設定対象とすべき局所空調機１を的確に判断し易くなり、更に設定対象とすべき局所空調機１をダイレクトに間違いなく指定して適切な設定変更を行うことができ、アイルの状態を迅速に適切な状態に保つことができる。
【０１１４】
また、尚、ここで、図２に示す例では、Ｂ列に関しては局番が‘９’、‘１０’、・・・‘１５’、‘１６’というように、‘９’〜‘１６’まで順番に並んでおり、局番などの機器構成と実際のラックへの配置順番が同じである（灰色（設置なし）は無視して考える）。これに対して、Ａ列に関しては図示のように局番が‘１’、‘５’、‘２’、‘６’・・・等というようにバラバラであり、局番などの機器構成と実際のラックへの配置順番が異なるものである。
【０１１５】
上記Ｂ列のように順番通りであるが、全てのラック上に局所空調機が配置されている場合には、上記従来のように局所空調機リスト（局番によるリスト）一覧から設定変更すべき局所空調機を選択する場合でも、局番と物理的配置（設置位置）との関係が分かり易いので、局所空調機の選択間違いが比較的発生し難い。
【０１１６】
しかしながら、上記Ｂ列のように順番通りで且つ“灰色（設置なし）”がある場合には、上記従来のように局所空調機リストを表示する場合、例えば局番＝‘９’〜‘１６’までを一覧表示するが、ユーザが例えばＢ列のラック群の図上左から３番目のラックの位置に設置された局所空調機１（物理的配置番号＝‘ｂ３’）を選択したい場合に、本来は局番＝‘１０’を選択すべきところを、上記一覧表示における３番目の局番である局番＝‘１１’を、誤って選択する可能性がある。
【０１１７】
上記Ａ列のように局番の順番がバラバラな場合には、当然、従来では、誤って選択する可能性が更に高くなる。
これに対して、上述したように、本例では、設定対象とすべき局所空調機１をダイレクトに間違いなく指定して、設定変更を行うことができる。
【０１１８】
図６は、上記コントローラ１０の構成・機能ブロック図である。
図６において、コントローラ１０は、通信インタフェース１０１、メモリ１０２、ＣＰＵ／ＭＰＵ等の演算プロセッサ１０３、表示部１０４、入力部１０５等を有する。
【０１１９】
通信インタフェース１０１は、上記通信線６や通信線７に接続して、通信線６または通信線７を介して、冷熱源ユニット２を制御したり、各局所空調機１を監視・制御する為の通信を行う為の通信モジュールである。
【０１２０】
表示部１０４は、ディスプレイ等であり、例えば上記監視画面（全体画面）２０、個別状態表示画面２１、個別設定画面２２、一括設定画面２３等の各種画面を表示する。
入力部１０５は、例えば上記一例ではタッチパネルであるが、この例に限らず、キーボード、マウス等であってもよい。
【０１２１】
メモリ１０２には、上述した各種情報（設定テーブル３０や局所空調機１の管理情報（不図示）等）が記憶される。
また、メモリ１０２には予め所定のアプリケーションプログラムが格納されており、演算プロセッサ１０３は、このアプリケーションプログラムを読出・実行することにより、図示の各種処理機能部の処理を実現する。
【０１２２】
すなわち、演算プロセッサ１０３は、全体画面制御部１１１、個別設定支援部１１２、一括設定支援部１１３の各処理機能部を実現する。また、全体画面制御部１１１は、色分け表示部１１１ａを有する。
【０１２３】
全体画面制御部１１１は、各局所空調機１（あるいは各ラック）の物理的配置を示す各特定図形（上記の例は矩形であるが、この例に限らない）を全体画面２０上に表示する。
個別設定支援部１１２は、全体画面２０上で任意の特定図形(矩形等)をユーザが指定する操作があってこれを検出した場合、この指定された特定図形に対応する局所空調機１を判別して（上記の通り、設定テーブル３０を参照すれば判別できる）、この判別した局所空調機１の設定を任意に行わせる為の個別設定画面２２を表示する。
【０１２４】
尚、上記の例ではまず個別状態表示画面２１を表示した後に個別設定画面２２を表示したが、既に述べたようにこの様な例に限らず、例えば上記特定図形(矩形等)の指定に応じて個別設定画面２２を表示するようにしてもよく、その後に個別状態表示画面２１を表示するようにしてもよく、あるいはこの様に２つの画面を用いることなく、個別設定画面２２と個別状態表示画面２１を１つの画面上でまとめて表示するようにしてもよい。
【０１２５】
何れにしても、各局所空調機１の物理的配置を示す全体画面上でユーザが任意の位置を指定するだけで、その位置に対応する局所空調機１の設定や状態表示を行うことができ、間違いなく確実に設定を行うこと等ができる。
【０１２６】
一括設定支援部１１３は、全体画面２０上で一括設定コマンドを指定する操作があった場合（上記「一括設定へ」ボタン２０ａが操作された場合）、複数台の局所空調機１全てに同一の設定を行わせる為の一括設定画面２３を表示する。上記の通り、ユーザは、この一括設定画面２３上で所望の設定を行える。
【０１２７】
また、上記全体画面制御部１１１（その色分け表示部１１１ａ）は、上記各特定図形（矩形等）毎にその特定図形に対応する局所空調機１の現在のステータスを示す色を表示する。現在のステータスには、設定温度と測定温度を比較することで判定される温度状況（適温／冷却不足／冷却過剰の何れか）が含まれ、色分け表示部１１１ａは当該適温／冷却不足／冷却過剰の何れかを示す色を表示する。尚、上記の例では、適温は水色、冷却不足は肌色、冷却過剰は青色で表示したが、勿論、この様な例に限るものではなく、色は自由に設定できる。
【０１２８】
また、上記全体画面制御部１１１（その色分け表示部１１１ａ）による色の表示には、上記ステータスを示す色の表示以外に、局所空調機１が設置されていないことを示す色（本例では灰色であるが、この例に限るものではない）の表示も含まれる。また、上記の通り、異常や停止中を示す色(赤、白)等の表示も含まれる。
【符号の説明】
【０１２９】
１  局所空調機
２  冷熱源ユニット
２ａ  凝縮器
２ｂ  冷媒圧送ユニット
２ｃ  インバータ
３  冷媒往路配管
４  冷媒復路配管
６  通信線
７  通信線
１０  コントローラ
２０  監視画面
２０ａ  「一括設定へ」ボタン
２１  個別状態表示画面
２１ａ  「設定へ」ボタン
２２  個別設定画面
２２ａ  「実行」ボタン
２３  一括設定画面
２３ａ  「実行」ボタン
３０  設定テーブル
【図２】
2012002445.tif 000003
【図３】
2012002445.tif 000004
【図５】
2012002445.tif 000005
【図６】
2012002445.tif 000006
【図１】
2012002445.tif 000007
【図４】
2012002445.tif 000008
【図７】
2012002445.tif 000009